(57)【要約】【課題】信号処理部への電力供給を容易に制御できるオーディオ信号処理装置、スピーカ装置、映像表示装置および制御方法を提供すること。【解決手段】本発明の実施形態に係るオーディオシステムにおいて、通信装置２０を携帯する利用者がスピーカ装置１０の通信範囲内に移動することにより、スピーカ装置１０と通信装置２０とが無線通信により接続され、スピーカ装置１０の制御部は、増幅部に電力を供給するように制御する。また、この利用者がスピーカ装置１０の通信範囲外に移動して無線通信が確立できなくなると、スピーカ装置１０の制御部は、増幅部への電力の供給を停止させるように制御する。したがって、利用者は、スピーカ装置１０に対して特別な操作を要することなく、スピーカ装置１０の増幅部への電力供給を制御することができる。【選択図】図４
2010056684.tif 000002
【特許請求の範囲】
【請求項１】
オーディオ信号を取得する取得手段と、
電力の供給を受けると、前記取得手段によって取得されたオーディオ信号に対して、予め設定された信号処理を施して出力する信号処理手段と、
通信装置と無線通信を確立し、当該通信装置と接続する通信手段と、
予め設定された接続条件を満たすと、前記通信装置との無線通信による接続を開始させ、予め設定された切断条件を満たすと、当該通信装置との無線通信による接続を切断させるように、前記通信手段を制御する通信制御手段と、
前記通信装置との無線通信による接続が開始されると、前記信号処理手段への電力の供給を開始し、前記通信装置との無線通信による接続が切断されると、前記信号処理手段への電力の供給を停止する制御を行う電力制御手段と
を具備することを特徴とするオーディオ信号処理装置。
【請求項２】
オーディオ信号を取得する取得手段と、
電力の供給を受けると、前記取得手段によって取得されたオーディオ信号に対して、予め設定された信号処理を施して出力する信号処理手段と、
電力の供給を受けると、通信範囲内に存在する通信装置を検索して当該通信装置と無線通信を確立し、当該通信装置と接続する通信手段と、
予め設定された接続条件を満たすと、前記通信装置との無線通信による接続を開始させ、予め設定された切断条件を満たすと、当該通信装置との無線通信による接続を切断させるように、前記通信手段を制御する通信制御手段と、
前記通信装置との無線通信による接続前においては、前記通信手段に電力を供給し、前記信号処理手段には電力を供給しない第１電力供給状態に制御し、前記通信装置との無線通信による接続が開始されると、前記第１電力供給状態からさらに前記信号処理手段への電力の供給を開始する第２電力供給状態に制御し、前記通信装置との無線通信による接続が切断されると、前記信号処理手段への電力の供給を停止して、再び前記第１電力供給状態に制御する電力制御手段と
を具備することを特徴とするオーディオ信号処理装置。
【請求項３】
前記取得手段によって取得されるオーディオ信号は、接続が開始された前記通信装置から、無線通信により受信したオーディオ信号である
ことを特徴とする請求項１または請求項２に記載のオーディオ信号処理装置。
【請求項４】
前記通信手段は、接続が開始された前記通信装置から、音響処理のパラメータを示す制御信号を受信し、
前記信号処理手段は、前記取得手段によって取得されたオーディオ信号に対して、前記通信手段によって受信された制御信号が示すパラメータに応じた音響処理を施して出力する
ことを特徴とする請求項１乃至請求項３のいずれかに記載のオーディオ信号処理装置。
【請求項５】
前記通信手段は、前記通信装置からの通信電波の強度を検出する検出手段を有し、
前記接続条件は、前記検出手段によって検出された通信電波の強度に応じた条件を含む
ことを特徴とする請求項１乃至請求項４のいずれかに記載のオーディオ信号処理装置。
【請求項６】
前記通信手段は、前記通信装置からの通信電波の強度を検出する検出手段を有し、
前記切断条件は、前記検出手段によって検出された通信電波の強度に応じた条件を含む
ことを特徴とする請求項１乃至請求項５のいずれかに記載のオーディオ信号処理装置。
【請求項７】
前記通信手段は、前記通信装置へ要求信号を送信する一方、その応答信号を受信し、
前記接続条件は、前記通信手段によって受信した応答信号に応じた条件を含む
ことを特徴とする請求項１乃至請求項６のいずれかに記載のオーディオ信号処理装置。
【請求項８】
前記電力制御手段による前記信号処理手段への電力の供給を開始する制御は、さらに、接続が開始された前記通信装置から予め設定された信号を受信すると行われる
ことを特徴とする請求項１乃至請求項７のいずれかに記載のオーディオ信号処理装置。
【請求項９】
請求項１乃至請求項８のいずれかに記載のオーディオ信号処理装置と、
前記信号処理手段から出力されるオーディオ信号を放音する放音手段と
を具備することを特徴とするスピーカ装置。
【請求項１０】
請求項９に記載のスピーカ装置と、
電力の供給を受けると、表示画面に表示を行う表示手段と
を具備し、
前記取得手段は、さらに映像信号を取得し、
前記表示手段は、前記取得手段によって取得された映像信号に応じた表示を行い、
前記電力制御手段は、前記通信装置との無線通信による接続が開始されると、前記信号処理手段および前記表示手段への電力の供給を開始し、前記通信装置との無線通信による接続が切断されると、前記信号処理手段および前記表示手段への電力の供給を停止する制御を行う
ことを特徴とする映像表示装置。
【請求項１１】
オーディオ信号を取得する取得手段と、電力の供給を受けると、前記取得手段によって取得されたオーディオ信号に対して、予め設定された信号処理を施して出力する信号処理手段と、通信装置と無線通信を確立し、当該通信装置と接続する通信手段とを具備するオーディオ信号処理装置に用いられる制御方法であって、
予め設定された接続条件を満たすと、前記通信装置との無線通信による接続を開始させるように、前記通信手段を制御する接続開始制御過程と、
前記通信装置との無線通信による接続が開始されると、前記信号処理手段への電力の供給を開始する制御を行う電力供給開始制御過程と、
予め設定された切断条件を満たすと、当該通信装置との無線通信による接続を切断させるように、前記通信手段を制御する接続切断制御過程と、
前記通信装置との無線通信による接続が切断されると、前記信号処理手段への電力の供給を停止する制御を行う電力供給停止制御過程と
を備えることを特徴とする制御方法。
【請求項１２】
オーディオ信号を取得する取得手段と、電力の供給を受けると、前記取得手段によって取得されたオーディオ信号に対して、予め設定された信号処理を施して出力する信号処理手段と、電力の供給を受けると、通信範囲内に存在する通信装置を検索して当該通信装置と無線通信を確立し、当該通信装置と接続する通信手段とを具備するオーディオ信号処理装置に用いられる制御方法であって、
前記通信装置との無線通信による接続前においては、前記通信手段に電力を供給し、前記信号処理手段には電力を供給しない第１電力供給状態に制御する第１電力供給制御過程と、
予め設定された接続条件を満たすと、前記通信装置との無線通信による接続を開始させるように、前記通信手段を制御する接続開始制御過程と、
前記通信装置との無線通信による接続が開始されると、前記第１電力供給状態からさらに前記信号処理手段への電力の供給を開始する第２電力供給状態に制御する第２電力供給制御過程と、
予め設定された切断条件を満たすと、当該通信装置との無線通信による接続を切断させるように、前記通信手段を制御する接続切断制御過程と、
前記通信装置との無線通信による接続が切断されると、前記信号処理手段への電力の供給を停止して、再び前記第１電力供給状態に制御する電力供給停止制御過程と
を備えることを特徴とする制御方法。
【発明の詳細な説明】
【技術分野】
【０００１】
本発明は、オーディオ信号処理装置の電力制御技術に関する。
【背景技術】
【０００２】
リモコン装置などを用いて遠隔操作を行うことができる電気機器は、一般的にリモコン装置を操作することにより、操作に応じた制御が行われるようになっている。一方、リモコン装置における操作を省略し、無線通信機器の電波強度を検出することにより、予め設定された制御項目に従って制御を行う電気機器が、例えば特許文献１に開示されている。
【特許文献１】特開２０００−１５２３５２号公報
【発明の開示】
【発明が解決しようとする課題】
【０００３】
ところで、増幅装置、スピーカ装置などにおいて用いられるオーディオ信号を増幅する増幅部は電力の消費が大きい場合が多く、使用しないときは電力の供給を停止しておくことが望ましいが、電力を供給開始および供給停止には、利用者がリモコン装置などを操作してスピーカ装置に対して指示を行う必要があった。
【０００４】
また、携帯オーディオプレイヤなどの再生音をスピーカ装置から放音させるためには、携帯オーディオプレイヤをスピーカ装置に接続し、スピーカ装置への電力供給を指示しなくてはならない。したがって、別の場所に設置されたスピーカ装置で聴取したい場合には、携帯オーディオプレイヤと接続するスピーカ装置を変更するだけでなく、元々使用していたスピーカ装置に対して電力供給停止の指示をし、新たに使用するスピーカ装置に対して電力供給開始の指示をしなくてはならず、手間がかかっていた。
【０００５】
本発明は、上述の事情に鑑みてなされたものであり、増幅部への電力供給を容易に制御できるオーディオ信号処理装置、スピーカ装置、映像表示装置および制御方法を提供することを目的とする。
【課題を解決するための手段】
【０００６】
上述の課題を解決するため、本発明は、オーディオ信号を取得する取得手段と、電力の供給を受けると、前記取得手段によって取得されたオーディオ信号に対して、予め設定された信号処理を施して出力する信号処理手段と、通信装置と無線通信を確立し、当該通信装置と接続する通信手段と、予め設定された接続条件を満たすと、前記通信装置との無線通信による接続を開始させ、予め設定された切断条件を満たすと、当該通信装置との無線通信による接続を切断させるように、前記通信手段を制御する通信制御手段と、前記通信装置との無線通信による接続が開始されると、前記信号処理手段への電力の供給を開始し、前記通信装置との無線通信による接続が切断されると、前記信号処理手段への電力の供給を停止する制御を行う電力制御手段とを具備することを特徴とするオーディオ信号処理装置を提供する。
【０００７】
また、本発明は、オーディオ信号を取得する取得手段と、電力の供給を受けると、前記取得手段によって取得されたオーディオ信号に対して、予め設定された信号処理を施して出力する信号処理手段と、電力の供給を受けると、通信範囲内に存在する通信装置を検索して当該通信装置と無線通信を確立し、当該通信装置と接続する通信手段と、予め設定された接続条件を満たすと、前記通信装置との無線通信による接続を開始させ、予め設定された切断条件を満たすと、当該通信装置との無線通信による接続を切断させるように、前記通信手段を制御する通信制御手段と、前記通信装置との無線通信による接続前においては、前記通信手段に電力を供給し、前記信号処理手段には電力を供給しない第１電力供給状態に制御し、前記通信装置との無線通信による接続が開始されると、前記第１電力供給状態からさらに前記信号処理手段への電力の供給を開始する第２電力供給状態に制御し、前記通信装置との無線通信による接続が切断されると、前記信号処理手段への電力の供給を停止して、再び前記第１電力供給状態に制御する電力制御手段とを具備することを特徴とするオーディオ信号処理装置を提供する。
【０００８】
また、別の好ましい態様において、前記取得手段によって取得されるオーディオ信号は、接続が開始された前記通信装置から、無線通信により受信したオーディオ信号であることを特徴とする。
【０００９】
また、別の好ましい態様において、前記通信手段は、接続が開始された前記通信装置から、音響処理のパラメータを示す制御信号を受信し、前記信号処理手段は、前記取得手段によって取得されたオーディオ信号に対して、前記通信手段によって受信された制御信号が示すパラメータに応じた音響処理を施して出力することを特徴とする。
【００１０】
また、別の好ましい態様において、前記通信手段は、前記通信装置からの通信電波の強度を検出する検出手段を有し、前記接続条件は、前記検出手段によって検出された通信電波の強度に応じた条件を含むことを特徴とする。
【００１１】
また、別の好ましい態様において、前記通信手段は、前記通信装置からの通信電波の強度を検出する検出手段を有し、前記切断条件は、前記検出手段によって検出された通信電波の強度に応じた条件を含むことを特徴とする。
【００１２】
また、別の好ましい態様において、前記通信手段は、前記通信装置へ要求信号を送信する一方、その応答信号を受信し、前記接続条件は、前記通信手段によって受信した応答信号に応じた条件を含むことを特徴とする。
【００１３】
また、別の好ましい態様において、前記電力制御手段による前記信号処理手段への電力の供給を開始する制御は、さらに、接続が開始された前記通信装置から予め設定された信号を受信すると行われることを特徴とする。
【００１４】
また、本発明は、上記記載のオーディオ信号処理装置と、前記信号処理手段から出力されるオーディオ信号を放音する放音手段とを具備することを特徴とするスピーカ装置を提供する。
【００１５】
また、本発明は、上記記載のスピーカ装置と、電力の供給を受けると、表示画面に表示を行う表示手段とを具備し、前記取得手段は、さらに映像信号を取得し、前記表示手段は、前記取得手段によって取得された映像信号に応じた表示を行い、前記電力制御手段は、前記通信装置との無線通信による接続が開始されると、前記信号処理手段および前記表示手段への電力の供給を開始し、前記通信装置との無線通信による接続が切断されると、前記信号処理手段および前記表示手段への電力の供給を停止する制御を行うことを特徴とする映像表示装置を提供する。
【００１６】
また、本発明は、オーディオ信号を取得する取得手段と、電力の供給を受けると、前記取得手段によって取得されたオーディオ信号に対して、予め設定された信号処理を施して出力する信号処理手段と、通信装置と無線通信を確立し、当該通信装置と接続する通信手段とを具備するオーディオ信号処理装置に用いられる制御方法であって、予め設定された接続条件を満たすと、前記通信装置との無線通信による接続を開始させるように、前記通信手段を制御する接続開始制御過程と、前記通信装置との無線通信による接続が開始されると、前記信号処理手段への電力の供給を開始する制御を行う電力供給開始制御過程と、予め設定された切断条件を満たすと、当該通信装置との無線通信による接続を切断させるように、前記通信手段を制御する接続切断制御過程と、前記通信装置との無線通信による接続が切断されると、前記信号処理手段への電力の供給を停止する制御を行う電力供給停止制御過程とを備えることを特徴とする制御方法を提供する。
【００１７】
また、本発明は、オーディオ信号を取得する取得手段と、電力の供給を受けると、前記取得手段によって取得されたオーディオ信号に対して、予め設定された信号処理を施して出力する信号処理手段と、電力の供給を受けると、通信範囲内に存在する通信装置を検索して当該通信装置と無線通信を確立し、当該通信装置と接続する通信手段とを具備するオーディオ信号処理装置に用いられる制御方法であって、前記通信装置との無線通信による接続前においては、前記通信手段に電力を供給し、前記信号処理手段には電力を供給しない第１電力供給状態に制御する第１電力供給制御過程と、予め設定された接続条件を満たすと、前記通信装置との無線通信による接続を開始させるように、前記通信手段を制御する接続開始制御過程と、前記通信装置との無線通信による接続が開始されると、前記第１電力供給状態からさらに前記信号処理手段への電力の供給を開始する第２電力供給状態に制御する第２電力供給制御過程と、予め設定された切断条件を満たすと、当該通信装置との無線通信による接続を切断させるように、前記通信手段を制御する接続切断制御過程と、前記通信装置との無線通信による接続が切断されると、前記信号処理手段への電力の供給を停止して、再び前記第１電力供給状態に制御する電力供給停止制御過程とを備えることを特徴とする制御方法を提供する。
【発明の効果】
【００１８】
本発明によれば、信号処理部への電力供給を容易に制御できるオーディオ信号処理装置、スピーカ装置、映像表示装置および制御方法を提供することができる。
【発明を実施するための最良の形態】
【００１９】
以下、本発明の一実施形態について説明する。
【００２０】
＜実施形態＞
本発明の実施形態に係るオーディオシステム１は、図１に示すように、スピーカ装置１０および通信装置２０を有する。図１は、オーディオシステム１の構成を示す説明図である。通信装置２０は、携帯オーディオ装置２１と通信モジュール２５とが接続されたものであり、通信装置２０の通信モジュール２５とスピーカ装置１０の通信部１５０との間で無線通信が行われる。以下、スピーカ装置１０、通信装置２０のそれぞれの構成について、図２、図３を用いて順に説明する。図２は、スピーカ装置１０の構成を示すブロック図である。図３は、通信装置２０の構成を示すブロック図である。
【００２１】
スピーカ装置１０は、図２に示すように、オーディオ信号処理装置１００および放音部１２０を有する。オーディオ信号処理装置１００は、制御部１０１、電力供給部１０２、増幅部１０３および通信部１５０を有する。通信部１５０は、電力の供給を受けて動作する無線通信部１５１および通信制御部１５２を有する。
【００２２】
無線通信部１５１は、出力する電波の強度に応じた通信範囲内に存在する通信装置２０を検索して無線通信を物理レベルで確立（以下、無線通信の確立とは、物理レベルでの確立をいう）し、無線通信を確立した通信装置２０と、通信制御部１５２の制御より通信を行う。
【００２３】
また、後述のように通信制御部１５２によって通信装置２０と接続するように制御されると、接続状態である期間においては、その通信装置２０から送信されるエンコードされたオーディオ信号Ｓｉｎを受信してデコード処理することにより取得したオーディオ信号Ｓｉｎ（この例においては、ステレオ２チャンネル）を出力する。すなわち、スピーカ装置１０と通信装置２０とが接続された状態とは、通信装置２０から送信されるオーディオ信号Ｓｉｎをスピーカ装置１０において受信して取得することができる状態である。
【００２４】
通信制御部１５２は、無線通信部１５１の通信を制御する。この制御は、例えば、制御内容を示す信号を通信制御部１５２から無線通信部１５１に出力することによって行われる。通信制御部１５２は、無線通信部１５１によって物理レベルで無線通信が確立された通信装置２０と信号の送受信を行うように制御し、その結果、予め設定された接続条件を満たすと、その通信装置２０との接続を開始させるように無線通信部１５１を制御する。また、通信制御部１５２は、通信装置２０との接続状態であるときに、予め設定された切断条件を満たすと、その接続を切断して接続を終了させる。接続条件および切断条件については、後述する。
【００２５】
また、通信制御部１５２は、制御部１０１に対して、通信装置２０との接続状況を示す接続情報を出力する。これにより制御部１０１は、スピーカ装置１０と通信装置２０とが無線通信により接続されているか否かを認識することができる。なお、通信制御部１５２は、図示しない操作手段の操作などに応じて、無線通信部１５１から出力される電波の強度を変更して、通信範囲を変更できるようにしてもよい。
【００２６】
電力供給部１０２は、増幅部１０３に対して電力を供給する電源であって、制御部１０１によって、電力供給の開始、停止が制御される。なお、電力の供給先は増幅部１０３に限らず、図示しない処理回路（例えば、オーディオ信号に対して音響処理を施す回路など）も含まれていてもよいが、通信部１５０および制御部１０１のうち電力供給部１０２を制御する部分については、電力供給部１０２の増幅部１０３に対する電力供給の開始、停止にかかわらず、電力が供給される。なお、供給する電力は、装置内部に電池などを有することにより装置内部で生成したものであってもよいし、装置外部からコンセントなどを用いて取り入れたものであってもよい。また、通信部１５０への電力の供給は、電力供給部１０２からの供給に限らず、これとは別に設けられた電力供給部から供給されるようにしてもよい。
【００２７】
増幅部１０３は、電力供給部１０２から電力の供給を受けると、起動、初期化処理が行われ、入力されるオーディオ信号、すなわち無線通信部１５１から出力されるオーディオ信号Ｓｉｎについて予め設定された増幅率で増幅して、オーディオ信号Ｓｏｕｔとして出力する。なお、制御部１０１の制御により、電力供給部１０２から電力の供給を受けた直後から、予め設定された時間かけて、第１の増幅率から、さらに大きい第２の増幅率に徐々に変化するようにして、増幅部１０３の増幅率が設定されてもよい。
【００２８】
制御部１０１は、通信制御部１５２からの接続情報により、通信装置２０との接続状態を認識し、スピーカ装置１０と通信装置２０との無線通信による接続が開始されると、電力供給部１０２から増幅部１０３に電力の供給を開始するように制御する。一方、制御部１０１は、スピーカ装置１０と通信装置２０との接続が切断されると、電力供給部１０２から増幅部１０３への電力の供給を停止するように制御する。
【００２９】
すなわち、この例においては、通信装置２０との接続開始から切断までの期間は、電力供給部１０２から増幅部１０３に電力が供給され、それ以外の期間は電力の供給が停止している。これらの制御は、例えば、制御内容を示す信号を制御部１０１から電力供給部１０２に出力することによって行われる。
【００３０】
ここで、制御部１０１によって制御される、電力供給部１０２から増幅部１０３に電力の供給を開始するタイミングは、スピーカ装置１０と通信装置２０との無線通信による接続が開始されたタイミングと同じであってもよいし、接続が開始されたタイミングから、予め設定された時間の経過後に電力の供給を開始するようにしてもよい。一方、電力の供給を停止するタイミングについても、スピーカ装置１０と通信装置２０との無線通信による接続が切断されたタイミングと同じであってもよいし、接続が切断されたタイミングから、予め設定された時間の経過後に電力の供給を停止するようにしてもよい。
【００３１】
放音部１２０は、Ｌチャンネル用、Ｒチャンネル用のスピーカを有し、増幅部１０３から出力されたオーディオ信号Ｓｏｕｔの各チャンネルの信号をそれぞれのチャンネル用のスピーカから放音する。以上がスピーカ装置１０の構成についての説明である。
【００３２】
次に、通信装置２０の構成について説明する。通信装置２０は、図３に示すように、携帯オーディオ装置２１および通信モジュール２５を有する。携帯オーディオ装置２１は、制御部２１１、記憶部２１２、操作部２１３、表示部２１４、音声出力部２１５およびインターフェイス２１６を有し、それぞれがバス２１０を介して接続され、図示しない電源部（例えば、電池など）から電力の供給を受けている。また、通信モジュール２５は、インターフェイス２５１、無線通信部２５２および通信制御部２５３を有する。
【００３３】
この携帯オーディオ装置２１と通信モジュール２５とは、インターフェイス２５１、２１６により接続されている。この例においては、通信モジュール２５は、携帯オーディオ装置２１との接続により、携帯オーディオ装置２１の電源部（不図示）から、インターフェイス２５１、２１６を介して電力の供給を受けている。したがって、通信モジュール２５を携帯オーディオ装置２１から取り外して接続を解除すると通信モジュール２５の各部の機能は停止する。なお、通信モジュール２５は、各部に電力を供給する電池を通信モジュール２５の内部に有していてもよい。
【００３４】
制御部２１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を有している。ＣＰＵは、ＲＯＭから制御プログラムをＲＡＭに読み出して実行することにより、携帯オーディオ装置２１の各部について、バス２１０を介して制御する。制御部２１１における制御内容については後述する。
【００３５】
記憶部２１２は、例えばハードディスク、不揮発性メモリなどの大容量記憶手段であって、オーディオ信号、映像信号を示すデータなどを記憶する。
【００３６】
操作部２１３は、利用者が操作を行うための操作子を有する。利用者が操作部２１３を操作するとその操作内容を表す操作信号が制御部２１１へ出力される。
【００３７】
表示部２１４は、映像を表示する液晶ディスプレイなどの表示デバイスであって、制御部２１１の制御によって入力される映像信号に応じた表示を行う。
【００３８】
音声出力部２１５は、ヘッドホンなどの放音手段を接続する接続端子を有し、制御部２１１の制御によって入力されるオーディオ信号を、接続される放音手段に供給する。
【００３９】
インターフェイス２１６は、外部機器と接続し、様々なデータの入出力をするための接続端子である。この例においては、インターフェイス２１６には通信モジュール２５が接続され、制御部２１１の制御によって入力されるオーディオ信号Ｓｉｎを接続された通信モジュール２５のインターフェイス２５１に出力する。
【００４０】
制御部２１１は、例えば、操作部２１３の利用者による操作に応じて、記憶部２１２に記憶されたオーディオ信号を示すデータを読み出して再生し、オーディオ信号Ｓｉｎとして音声出力部２１５およびインターフェイス２１６に出力する。このとき、制御部２１１は、スピーカ装置１０と通信装置２０とが接続状態か否かを示す情報を通信制御部２５３から取得し、接続状態のときは音声出力部２１５へのオーディオ信号Ｓｉｎの出力を停止するようにしてもよいし、接続状態でないときはインターフェイス２１６へのオーディオ信号Ｓｉｎの出力を停止するようにしてもよい。
【００４１】
インターフェイス２５１は、外部機器と接続し、様々なデータの入出力をするための接続端子である。この例においては、インターフェイス２５１には携帯オーディオ装置２１が接続され、携帯オーディオ装置２１のインターフェイス２１６から出力されるオーディオ信号Ｓｉｎを無線通信部２５２に出力する。
【００４２】
無線通信部２５２は、出力する電波の強度に応じた通信範囲内に存在するスピーカ装置１０を検索して無線通信を物理レベルで確立し、無線通信を確立したスピーカ装置１０と、通信制御部２５３の制御より通信行う。無線通信部２５２は、上述したようにスピーカ装置１０の無線通信部１５１との無線通信により、スピーカ装置１０と通信装置２０との接続が開始されると、その接続が切断されるまでの期間において、インターフェイス２５１から出力されるオーディオ信号Ｓｉｎをエンコードしてスピーカ装置１０に送信する。
【００４３】
ここで、オーディオ信号Ｓｉｎの送信は、スピーカ装置１０と通信装置２０とが接続状態にあるときのみ行われるようにしてもよいし、接続状態にかかわらずオーディオ信号Ｓｉｎの送信が行われ、接続状態でないときにはスピーカ装置１０においてオーディオ信号Ｓｉｎが取得されないようにしてもよい。
【００４４】
通信制御部２５３は、無線通信部２５２の通信を制御する。この制御は、例えば、制御内容を示す信号を通信制御部２５３から無線通信部２５２に出力することによって行われる。通信制御部２５３は、無線通信部２５２によって物理レベルで無線通信が確立されたスピーカ装置１０と信号の送受信を行うように制御し、その結果、スピーカ装置１０の通信制御部１５２と同様に、予め設定された接続条件を満たすと、そのスピーカ装置１０との接続を開始させるように無線通信部２５２を制御する。また、通信制御部２５３は、スピーカ装置１０との接続状態であるときに、予め設定された切断条件を満たすと、その接続を切断して接続を終了させる。なお、通信制御部２５３は、図示しない操作手段の操作などに応じて、無線通信部２５２から出力される電波の強度を変更して、通信範囲を変更できるようにしてもよい。以上が、通信装置２０の構成についての説明である。
【００４５】
次に、オーディオシステム１におけるスピーカ装置１０および通信装置２０の動作について、図４を用いて説明する。図４は、スピーカ装置１０と通信装置２０との無線通信についての説明図である。ここでは、スピーカ装置１０が予め設置され、通信装置２０を利用者が携帯した状態であって、この利用者が、スピーカ装置１０の通信範囲外から通信範囲内に入った後、通信範囲外に離れていく場合を想定する。また、通信装置２０の携帯オーディオ装置２１においては、利用者の操作によりオーディオ信号が再生されているものとする。この場合におけるスピーカ装置１０と通信装置２０との間で行われる無線通信について説明する。
【００４６】
まず、スピーカ装置１０および通信装置２０が互いに通信範囲外にいる状態においては、互いに無線通信を確立できる通信相手を検索している。この時点においては、スピーカ装置１０の増幅部１０３には、電力が供給されていない。そして、利用者が移動して、通信装置２０がスピーカ装置１０の通信範囲内に入ると、スピーカ装置１０と通信装置２０とは通信相手を検出し、スピーカ装置１０の無線通信部１５１および通信装置２０の無線通信部２５２によって、互いの無線通信が物理レベルで確立される。
【００４７】
無線通信が確立されると、スピーカ装置１０の通信制御部１５２の制御により、無線通信部１５１は、通信装置２０との接続を要求する情報と自装置を識別する識別情報（例えば、装置ＩＤ、グループＩＤ、製品情報、メーカー情報など）とを含む接続要求信号を、通信装置２０に対して送信する。スピーカ装置１０は、接続要求信号を送信し、接続条件を満たすかどうかの判定を待つ。この例においては、接続条件とは、接続要求信号に応答して、通信装置２０から送信される接続許可を示す接続応答信号をスピーカ装置１０において受信することである。
【００４８】
通信装置２０は、無線通信部２５２によって、スピーカ装置１０から送信された接続要求信号を受信すると、通信制御部２５３は、識別情報を評価してスピーカ装置１０と接続するか否かを判定する。この識別情報の評価による判定は、例えば以下のようにすればよい。通信制御部２５３は、予め接続可能な識別情報を示すリストを記憶しておき、このリストと接続要求信号に含まれる識別情報とを比較し、一致する識別情報がある場合には、接続すると判定、一致する識別情報が無い場合には、接続しないと判定すればよい。
【００４９】
なお、この判定は、利用者が操作部２１３を操作して、接続するか否かを決定することにより行なわれてもよい。この場合は、接続要求信号に含まれる識別情報を、インターフェイス２５１、２１６を介して携帯オーディオ装置２１に出力し、出力された識別情報に応じた表示、例えば無線通信が確立され、接続候補であるスピーカ装置１０を特定する表示、例えば装置ＩＤなどの表示を表示部２１４に行う。そして、利用者がこの表示を確認し、操作部２１３を操作して接続候補であるスピーカ装置１０と接続するか否かを決定する。この決定を示す情報がインターフェイス２１６、２５１を介して、通信モジュール２５に出力されることにより、通信制御部２５３は、スピーカ装置１０と接続すべきか否かを判定すればよい。
【００５０】
そして、通信装置２０は、スピーカ装置１０と接続すると判定したときには、接続許可を示す接続応答信号を、スピーカ装置１０に対して送信する。また、スピーカ装置１０と接続しないと判定したときには、接続応答信号を送信しないようにしてもよいし、接続不許可を示す接続応答信号を送信するようにしてもよい。
【００５１】
スピーカ装置１０の通信制御部１５２は、無線通信部１５１により接続許可を示す接続応答信号を受信すると、上述した接続条件を満たしたと判定し、スピーカ装置１０と通信装置２０とを無線通信による接続を開始して、接続状態とする。そして、制御部１０１は、電力供給部１０２から増幅部１０３に電力を供給させる。これにより、無線通信部１５１によって取得されるオーディオ信号Ｓｉｎが増幅部１０３に出力されて増幅されることになり、携帯オーディオ装置２１において再生されているオーディオ信号が、無線通信により接続されているスピーカ装置１０の放音部１２０から放音される。
【００５２】
ここで、スピーカ装置１０の通信制御部１５２は、一定期間は接続条件についての判定を続けるが、その期間内に無線通信部１５１により接続許可を示す接続応答信号を受信しなかった場合には、この通信装置２０との接続を行わずに、無線通信が確立された状態が維持され、別の通信装置２０が通信範囲内に存在しないかどうかの検索をして、無線通信が確立できる通信装置２０が存在する場合には、上記のようにその通信装置２０との接続を試みる。
【００５３】
このように、スピーカ装置１０は、一の通信装置２０と無線通信により接続する。一方、通信装置２０は、複数のスピーカ装置１０と無線通信により接続してもよく、この場合には、携帯オーディオ装置２１において再生されているオーディオ信号が、複数のスピーカ装置１０から放音されることになる。
【００５４】
次に、スピーカ装置１０は、通信装置２０と接続を開始すると、切断条件を満たすかどうかの判定を続ける。この例においては、切断条件とは、通信範囲外に通信装置２０が移動したり、通信モジュール２５が携帯オーディオ装置２１から取り外されたりして、無線通信が確立できなくなることである。
【００５５】
通信装置２０を携帯する利用者がさらに移動し、スピーカ装置１０の通信範囲外に移動すると、スピーカ装置１０と通信装置２０とは無線通信が確立できなくなり、スピーカ装置１０の通信制御部１５２、通信装置２０の通信制御部２５３は、上述した切断条件を満たしたと判定し、スピーカ装置１０と通信装置２０との接続を切断する。そして、スピーカ装置１０の制御部１０１は、電力供給部１０２から増幅部１０３への電力の供給を停止させ、また、無線通信部２５２におけるオーディオ信号Ｓｉｎの取得も行われなくなるから、スピーカ装置１０の放音部１２０からの放音が停止する。
【００５６】
このように、本発明の実施形態に係るオーディオシステム１において、通信装置２０を携帯する利用者がスピーカ装置１０の通信範囲内に移動することにより、スピーカ装置１０と通信装置２０とが無線通信により接続され、スピーカ装置１０の制御部１０１は、増幅部１０３に電力を供給するように制御するから、通信装置２０の携帯オーディオ装置２１において再生しているオーディオ信号Ｓｉｎをスピーカ装置１０の放音部１２０から放音させることができる。
【００５７】
また、この利用者がスピーカ装置１０の通信範囲外に移動して無線通信が確立できなくなると、スピーカ装置１０の制御部１０１は、増幅部１０３への電力の供給を停止させるように制御して、放音部１２０からの放音を停止させることができる。したがって、利用者は、スピーカ装置１０に対して特別な操作を要することなく、スピーカ装置１０の放音部１２０からの放音を聴取できるだけでなく、スピーカ装置１０の増幅部１０３への電力供給を制御することができる。
【００５８】
以上、本発明の実施形態について説明したが、本発明は以下のように、さまざまな態様で実施可能である。
【００５９】
＜変形例１＞
上述した実施形態においては、通信装置２０からスピーカ装置１０へオーディオ信号Ｓｉｎが送信されていたが、制御値などを示す制御信号Ｓｃ（この例においては、ボリューム値）が送信されるようにしてもよい。この場合には、以下のようにすればよい。まず、通信装置２０の操作部２１３を利用者が操作して、ボリューム値を指定する。制御部２１１は、操作部２１３から操作信号を取得し、指定されたボリューム値を示す制御信号Ｓｃを生成してインターフェイス２１６、２５１を介して通信モジュール２５に出力し、通信制御部２５３は、出力された制御信号Ｓｃを無線通信部２５２から送信させる。このとき、制御信号Ｓｃが通信されるチャンネルと、オーディオ信号Ｓｉｎが通信されるチャンネルとは同一チャンネル（別周波数）とする 。オーディオ信号Ｓｉｎと違い、使用頻度の低い制御信号Ｓｃのために別のチャンネルを占有するとそのチャンネルの使用効率が悪くなるから、好ましくない。したがって、オーディオ信号Ｓｉｎのために確保しているチャンネルの中に混ぜ込み、通信されるオーディオ信号Ｓｉｎの隙を見つけて制御信号Ｓｃを通信した方が、制御信号Ｓｃのために別チャンネルを設けるより効率が良い。
【００６０】
また、制御部２１１は、音声出力部２１５から出力するオーディオ信号Ｓｉｎの出力レベルを制御信号Ｓｃに応じて調整する。このとき、インターフェイス２１６に出力するオーディオ信号Ｓｉｎについての出力レベルは調整しない。スピーカ装置１０への送信前にオーディオ信号Ｓｉｎの出力レベルを調整しないことにより、ＳＮ比を高く保つなど音質劣化を少なくすることができる。なお、制御部２１１は、表示部２１４に対して、制御信号Ｓｃに応じて、ボリューム値を示す表示をさせるように制御してもよい。
【００６１】
一方、スピーカ装置１０の無線通信部１５１は、無線通信により接続された通信装置２０から送信される制御信号Ｓｃを受信することによって取得し、図２に示すように、制御部１０１に対して出力する。制御部１０１は、増幅部１０３を制御して、制御信号Ｓｃが示すボリューム値に応じた増幅率を設定する。このように、通信装置２０からスピーカ装置１０へは、オーディオ信号Ｓｉｎの送信とともに、制御信号Ｓｃが送信されるようにしてもよい。
【００６２】
＜変形例２＞
上述した実施形態においては、通信装置２０からスピーカ装置１０へオーディオ信号Ｓｉｎが送信され、スピーカ装置１０の無線通信部１５１によってオーディオ信号Ｓｉｎを受信することによって取得していたが、オーディオ信号Ｓｉｎの取得は、別の方法により行なってもよい。この場合には、図５に示すように、オーディオ信号を取得して増幅部１０３に入力する入力部１０５を有するオーディオ信号処理装置１００Ａを具備するスピーカ装置１０Ａとすればよい。
【００６３】
そして、この入力部１０５は、オーディオ信号Ｓｉｎが入力される入力端子を有するようにし、入力端子から入力されたオーディオ信号Ｓｉｎを取得してもよいし、オーディオ信号Ｓｉｎを生成する楽音発生手段（不図示）を有するようにした場合には、この楽音発生手段からオーディオ信号Ｓｉｎを取得するようにすればよい。
【００６４】
このようにすると、通信装置２０の携帯オーディオ装置２１は、オーディオ信号Ｓｉｎを出力しなくてもよく、通信装置２０を携帯する利用者がスピーカ装置１０の通信範囲内に移動してきた場合には、スピーカ装置１０の入力部１０５によって取得されたオーディオ信号Ｓｉｎが放音部１２０から放音されるようになる。また、上述した変形例１において示したように、制御信号Ｓｃが通信装置２０からスピーカ装置１０に送信されるようにした場合には、利用者は、通信装置２０について、放音される音量を変更することができるリモコンのように使用することもできる。
【００６５】
＜変形例３＞
上述した実施形態においては、スピーカ装置１０と通信装置２０との無線通信による接続を開始するための接続条件は、スピーカ装置１０から送信された接続要求信号に応答して、通信装置２０から送信される接続許可を示す接続応答信号をスピーカ装置１０において受信することであったが、他の条件であってもよい。例えば、接続要求信号、接続応答信号の送受信を行うことなく、スピーカ装置１０と通信装置２０との間で無線通信が確立されることを接続条件としてもよい。
【００６６】
また、別の例として、接続要求信号、接続応答信号の送受信の関係を逆であるものとし、接続要求信号を通信装置２０が送信しスピーカ装置１０において受信し、スピーカ装置１０は、それに応答して接続応答信号を送信して通信装置２０に受信させるようにしてもよい。そして、通信装置２０が、接続許可を示す接続応答信号を受信することを接続条件としてもよい。この場合、接続条件を満たすかどうかにより接続するか否かを判定するのは通信装置２０の通信制御部２５３であってもよい。
【００６７】
一方、切断条件についても、無線通信が確立できなくなることだけでなく、他の条件としてもよい。例えば、無線通信により接続されている通信装置２０からのオーディオ信号Ｓｉｎの受信が、予め設定された時間、例えば１０分間無いことを切断条件としてもよい。また、変形例１に示すように通信装置２０から制御信号Ｓｃが送信される場合には、予め設定された制御信号Ｓｃ（例えば、携帯オーディオ装置２１のバッテリ残量が所定量以下である、スリープモードになったなど、携帯オーディオ装置２１の状態を示す信号）を受信したことを切断条件としてもよい。
【００６８】
また、スピーカ装置１０の無線通信部１５１に通信装置２０からの通信電波の強度を検出する検出部を設け、通信制御部１５２は、この検出結果を取得し、検出した通信電波の強度に応じた条件を接続条件、切断条件として接続をするか否かを判定してもよい。例えば、無線通信を確立した通信装置２０からの通信電波の強度が、予め設定されたしきい値以上になることを接続条件とすればよく、予め設定されたしきい値未満になることを切断条件とすればよい。
【００６９】
このようにすれば、無線通信電波の強度を変更しなくても、図示しない操作手段の操作などに応じて、通信制御部１５２は、設定されたしきい値を増減させることで、スピーカ装置１０と通信装置２０とが無線通信により接続される範囲であって、スピーカ装置１０からの範囲を調整することができる。
【００７０】
なお、変形例１に示すように、制御信号Ｓｃの送受信が行われ、この制御信号Ｓｃの送受信がスピーカ装置１０と通信装置２０とが無線通信による接続が開始する前であっても可能な状態としておけば、制御信号Ｓｃに応じてしきい値が増減されるようにしてもよい。例えば、制御信号Ｓｃがボリューム値を示すものであった場合、ボリューム値が大きくなるほどしきい値を減少させて、スピーカ装置１０と通信装置２０とが無線通信により接続可能な距離を長くするようにしてもよい。
【００７１】
また、この例においては、スピーカ装置１０において通信電波の強度を検出していたが、通信装置２０の無線通信部２５２に、通信電波の強度を検出する検出部を設けて、通信制御部２５３により接続条件の判定を行なってもよい。
【００７２】
上述した様々な接続条件は、それぞれ単独の条件としてもよいし、複数の条件を合わせたもの、例えば、実施形態における条件と、通信電波の強度に応じた条件とを両方満たすこととしてもよい。
【００７３】
＜変形例４＞
上述した実施形態においては、スピーカ装置１０と通信装置２０とが、無線通信により接続されると、スピーカ装置１０の制御部１０１は、電力供給部１０２から増幅部１０３に電力の供給を開始していたが、変形例１に示すように制御信号Ｓｃについても送受信がなされるようにし、スピーカ装置１０と通信装置２０とが、無線通信により接続された後に、さらに通信装置２０から予め設定された内容の制御信号Ｓｃを受信した場合に、制御部１０１は、電力供給部１０２から増幅部１０３に電力の供給を開始するようにしてもよい。
【００７４】
ここで、予め設定された内容の制御信号Ｓｃは、例えば、変形例１に示すようにボリューム値を示すものであってもよいし、携帯オーディオ装置２１においてオーディオ信号を再生する操作により生成される制御信号Ｓｃであってもよい。このようにすれば、スピーカ装置１０と通信装置２０とが接続状態になっても、利用者が携帯オーディオ装置２１の操作部２１３に対して、予め設定された操作をするまでは、スピーカ装置１０の放音部１２０からの放音をさせないようにすることもできるから、通信装置２０を携帯する利用者がスピーカ装置１０の近くを通過するだけである場合に、不要に放音されないようにすることもできる。
【００７５】
＜変形例５＞
上述した実施形態においては、通信装置２０の通信制御部２５３における識別情報の評価による判定は、予め接続可能な識別情報を示すリストと、スピーカ装置１０から受信した接続要求信号に含まれる識別情報とを比較することにより行っていたが、別の方法であってもよい。例えば、以下に示すようなものとすればよい。
【００７６】
スピーカ装置１０における識別情報をグループＩＤ（例えば、グループ１、２、３）として規定し、このグループＩＤは、ディップスイッチなどの操作手段（不図示）によって設定できるようになっている。一方、通信装置２０の通信モジュール２５においても、同様に、ディップスイッチなどの操作手段（不図示）によって、通信モジュール２５のグループＩＤを設定できるようになっている。
【００７７】
このようなスピーカ装置１０、通信装置２０の構成において、スピーカ装置１０から送信されるグループＩＤを示す識別情報を含む接続要求信号を、通信装置２０の無線通信部２５２において受信すると、通信制御部２５３は、その識別情報が示すグループＩＤと、通信モジュール２５に設定されたグループＩＤとが一致するかどうかを判定し、一致した場合には、無線通信部２５２を制御して、接続許可を示す接続応答信号をスピーカ装置１０に対して送信させる。
【００７８】
このようにすれば、接続可能なスピーカ装置１０と通信装置２０とのペアを容易に設定することができるから、複数のスピーカ装置１０が設置されている場合に、各スピーカ装置１０のグループＩＤを設定しておくことで、通信装置２０と無線通信により接続されるスピーカ装置１０を容易に設定することができる。
【００７９】
＜変形例６＞
上述した実施形態においては、オーディオ信号Ｓｉｎを放音するスピーカ装置１０としていたが、図６に示すように、表示部１３０をさらに有するテレビなどの映像表示装置１０Ｂとしてもよい。以下、映像表示装置１０Ｂの構成について説明する。
【００８０】
表示部１３０は、液晶ディスプレイや有機ＥＬディスプレイなどの表示画面を有し、電力供給部１０２から電力の供給を受けると、入力された映像信号に応じた表示を表示画面に行う。制御部１０１は、電力供給部１０２を制御して、増幅部１０３に電力の供給の開始、停止を行う場合には、同様にして、表示部１３０への電力の供給の開始、停止を行う。すなわち、映像表示装置１０Ｂと通信装置２０とが接続された状態であるときに、表示部１３０へ電力が供給されることになる。また、無線通信部１５１は、オーディオ信号Ｓｉｎとともに、映像信号Ｇｉｎを通信装置２０から受信することによって取得し、映像信号Ｇｉｎについては、表示部１３０に出力する。これにより、表示部１３０は、映像信号Ｇｉｎに応じた表示を行う。
【００８１】
また、通信装置２０の記憶部２１２は、映像信号を示すデータについてもオーディオ信号を示すデータとともに記憶している。通信装置２０の制御部２１１は、オーディオ信号を示すデータを読み出すときに、映像信号を示すデータも読み出して再生し、映像信号Ｇｉｎとして表示部２１４およびインターフェイス２１６に出力する。これにより、映像信号Ｇｉｎは、オーディオ信号Ｓｉｎとともに無線通信部２５３から送信される。このとき、制御部２１１は、映像表示装置１０Ｂと通信装置２０とが接続状態か否かを示す情報を通信制御部２５３から取得し、接続状態のときは表示部２１４への映像信号Ｇｉｎの出力を停止してもよいし、接続状態でないときはインターフェイス２１６への映像信号Ｇｉｎの出力を停止してもよい。その他の構成については、実施形態における構成と同様であるから、説明を省略する。
【００８２】
このように、本発明は、スピーカ装置１０のように放音させる音響機器だけでなく、映像表示装置１０Ｂのように映像を表示する表示機器について適用することもできる。
【００８３】
＜変形例７＞
上述した実施形態においては、スピーカ装置１０は、オーディオ信号処理装置１００を有し、オーディオ信号処理装置１００の増幅部１０３において、オーディオ信号Ｓｉｎを増幅していたが、増幅部１０３に限られず、電力供給を受けると、オーディオ信号Ｓｉｎに対して、予め設定された信号処理（例えば、イコライジング処理、残響処理など）を施す信号処理部であってもよい。
【００８４】
＜変形例８＞
上述した実施形態においては、通信装置２０の携帯オーディオ装置２１と通信モジュール２５とは接続されている状態での動作を説明したが、携帯オーディオ装置２１と通信モジュール２５とが接続されていない場合には、通信モジュール２５は動作せず、通信装置２０がスピーカ装置１０の通信範囲内に入っても、無線通信は確立されない。
【００８５】
そして、スピーカ装置１０の通信範囲内で、携帯オーディオ装置２１と通信モジュール２５とを接続すると、携帯オーディオ装置２１内の図示しない電源部から電力の供給を受け、通信モジュール２５内の無線通信部２５２、通信制御部２５３が動作を開始し、通信可能な相手の検出を行い、スピーカ装置１０と通信装置２０との間で無線通信が確立され、その後は実施形態と同様にして、スピーカ装置１０の増幅部１０３への電力の供給が開始され、スピーカ装置１０から携帯オーディオ装置２１で再生されたオーディオ信号Ｓｉｎが放音されることになる。
【００８６】
その後、携帯オーディオ装置２１から通信モジュール２５が取り外され、互いの接続が解除されると、再び通信モジュール２５は動作しなくなる。したがって、無線通信の確立ができなくなり、切断条件が満たされてスピーカ装置１０の増幅部１０３への電力の供給が停止され、スピーカ装置１０からの放音が停止する。このように、携帯オーディオ装置２１に対して、通信モジュール２５の接続、取り外しにより、他に何等操作の必要もなく、感覚的な操作のみでもスピーカ装置１０の電源操作を可能とすることができる。
【図面の簡単な説明】
【００８７】
【図１】実施形態に係るオーディオシステムの構成を示す説明図である。
【図２】実施形態に係るスピーカ装置の構成を示すブロック図である。
【図３】実施形態に係る通信装置の構成を示すブロック図である。
【図４】実施形態に係るスピーカ装置と通信装置との無線通信の説明図である。
【図５】変形例２に係るスピーカ装置の構成を示すブロック図である。
【図６】変形例６に係る映像表示装置の構成を示すブロック図である。
【符号の説明】
【００８８】
１…オーディオシステム、１０，１０Ａ…スピーカ装置、１０Ｂ…映像表示装置、２０…通信装置、２１…携帯オーディオ装置、２５…通信モジュール、１００，１００Ａ，１００Ｂ…オーディオ信号処理装置、１０１…制御部、１０２…電力供給部、１０３…増幅部、１０５…入力部、１２０…放音部、１３０…表示部、１５０…通信部、１５１…無線通信部、１５２…通信制御部、２１０…バス、２１１…制御部、２１２…記憶部、２１３…操作部、２１４…表示部、２１５…音声出力部、２１６…インターフェイス、２５１…インターフェイス、２５２…無線通信部、２５３…通信制御部
【図１】
2010056684.tif 000003
【図２】
2010056684.tif 000004
【図３】
2010056684.tif 000005
【図４】
2010056684.tif 000006
【図５】
2010056684.tif 000007
【図６】
2010056684.tif 000008